(57)【特許請求の範囲】
【請求項１】
レーザ発振器と、前記レーザ発振器から出力するレーザの出力を制御するレーザ制御部と、前記レーザ制御部によって制御されて出力するレーザ患者患部に入射するよう導くレーザ導波管と、前記導波管の先端に接続し患者患部に所定の状態でレーザを入射させるプローブと、装置の操作および状態を表示する操作パネル部とを有するレーザ装置にあって、前記操作パネル部の操作面から突出し、先端部の直径が根元部よりも太い直径を有するプローブホルダ支持軸と、耐水性、耐溶剤性及び弾性力を有する材質で形成されたプローブホルダと、前記プローブホルダ底面に入口部の直径が奥部の直径より小さく、前記入口部と前記プローブホルダ支持軸の根元部の直径とが略同一の直径で形成された穴部とを備え、前記プローブホルダは、前記プローブホルダ支持軸と穴部とを嵌合させることで前記操作パネル部に保持され、前記プローブホルダ支持軸と前記穴部とを介して前記操作パネル部から着脱可能としたレーザ装置。
【請求項２】
前記プローブホルダはシリコンゴム製である請求項１記載のレーザ装置。
【請求項３】
前記プローブホルダ支持軸は、耐水性及び耐溶剤性を有する表面処理を施した金属材料で形成された、請求項１又は２記載のレーザ装置。
【請求項４】
１つの前記プローブホルダが複数の前記プローブホルダ支持軸で保持されていることを特徴とする請求項１〜３のいずれかに記載のレーザ装置。
【請求項５】
前記複数のプローブホルダ支持軸の長さ、及び前記複数のプローブホルダ支持軸に対応する前記プローブホルダの複数の穴の深さが少なくとも２種類存在することを特徴とする請求項４記載のレーザ装置。
【発明の詳細な説明】
【技術分野】
【０００１】
本発明はレーザ装置に関し、特にプローブホルダの着脱に関する発明である。
【背景技術】
【０００２】
近年、医療用、歯科用などのレーザ装置（レーザ機器とも言う）が出血や痛みを伴わず治療効果にも優れていることからその需要が伸びてきている。かかるレーザ機器のプローブは先端チップを生体内に入れて治療を行う性質上、先端チップは元より、プローブホルダに付着した血液や唾液等を除去して常に清潔を保つことが要求される。
【０００３】
プローブを本体に取付け、または、仮置きする構造としては、プローブの用途に応じていくつもの機構が一般的に知られている（例えば下記の特許文献１参照）。
【特許文献１】実開昭６３−１２２４４５号公報
【発明の開示】
【発明が解決しようとする課題】
【０００４】
しかしながら、従来の医療用レーザ機器において、プローブを機器本体に保持させるプローブホルダは、本体にビスを用いて機械的に固定されていた。
【０００５】
プローブホルダを確実に機器本体に固定するという面から優れているが、プローブホルダが着脱できない為に清潔さを保つという医療現場の要求には、ウエスで拭き取ることを奨めざるを得ない状況にあった。
【０００６】
図５は従来例をしめす。プローブホルダ８には、ナット10がインサート成型され、操作盤の上パネル２には裏面（操作盤内面側）からネジ８で固定されている。この為に、確実に固定はできているが、着脱の為には機器の分解が必要で、医療現場では、プローブホラウダを機器本体から取り外して洗浄することは不可能で、プローブを介して付着した血液や唾液等を脱脂綿等で拭き取る程度である。
【０００７】
本発明は上記課題を解決する為に、プローブホルダを容易に機器本体から取り外して洗浄し、洗浄後は再び容易に機器本体に取り付けることを実現させるプローブホルダを備えたレーザ装置を提供することを目的とする。
【課題を解決するための手段】
【０００８】
本発明のレーザ装置は、レーザ発振器と、前記レーザ発振器から出力するレーザの出力を制御するレーザ制御部と、前記レーザ制御部によって制御されて出力するレーザ患者患部に入射するよう導くレーザ導波管と、前記導波管の先端に接続し患者患部に所定の状態でレーザを入射させるプローブと、装置の操作および状態を表示する操作パネル部とを有するレーザ装置にあって、前記操作パネル部の操作面から突出し、先端部の直径が根元部よりも太い直径を有するプローブホルダ支持軸と、耐水性、耐溶剤性及び弾性力を有する材質で形成されたプローブホルダと、前記プローブホルダ底面に入口部の直径が奥部の直径より小さく、前記入口部と前記プローブホルダ支持軸の根元部の直径とが略同一の直径で形成された穴部とを備え、前記プローブホルダは、前記プローブホルダ支持軸と穴部とを嵌合させることで前記操作パネル部に保持され、前記プローブホルダ支持軸と前記穴部とを介して前記操作パネル部から着脱可能とした構成を有する。
【０００９】
この構成により、これまで機器の本体から取り外して洗浄を行うことが不可能であったプローブホルダを、何らの工具を必要とすることなく取り外して洗浄し再び何らの工具を必要としないで本体に取り付けることを可能とし、清潔を求められる医療現場においての衛生上の効果は多大なものがある。
【００１０】
また、非常に安価に提供することが可能となり、洗浄後の乾燥までの間にプローブを保持するためにはスペアのプローブホルダが必要であるが、負担が軽微で、付属品として提供することを可能とした。
【００１１】
また、安価に提供できることにより、医療現場でも消耗部品として求めやすくなり、この点からも衛生上の多大な効果が期待できる。
【発明の効果】
【００１２】
以上のように、本発明によると、これまで機器の本体から取り外して洗浄を行うことが不可能であったプローブホルダを、何らの工具を必要とすることなく取り外して洗浄し再び何らの工具を必要としないで本体に取り付けることを可能とし、清潔を求められる医療現場においての衛生上の効果は多大なものがある。
【発明を実施するための最良の形態】
【００１３】
以下、本発明の実施例を、図１から図3を用いて説明する。図１は、レーザ装置の全体を示す外観を示す斜視図である。本体1の内部にはレーザ発振器、及びレーザの出力を制御するレーザ制御部が組み込まれている。制御されたレーザは、上パネル2に配置した出射口3からレーザ導波管４（ファイバーとも言う）を介してプローブ5の先端から患者患部に入射させる。レーザ装置のプローブ5を機器本体に保持させるプローブホルダ6の断面図を図2に示す。
【００１４】
上パネル２には、１ケのプローブホルダ6に対して、プローブホルダ軸7が2本、裏面からネジ８で固定されている。プローブホルダ軸７は、ステンレスあるいは、他の金属材料で耐水性、耐溶剤性の高い表面処理を施したもので、プローブホルダ6に対してこのプローブホルダ軸７が圧入されるように装着する。図3は本発明の特徴であるプローブホルダ孔６ａ、６ｂとプローブホルダ軸７ａ、７ｂの関係をより詳細に示す。プローブホルダ孔６ａ、６ｂの入り口の直径φdは、奥よりも小さい直径（０.２〜１.０ｍｍ程度小さい）になっている。
【００１５】
一般の樹脂の射出成型ではアンダーカットになって離型できないが、シリコンゴムでは弾力性を活かして無理なく成型することができるうえ、耐水性、耐薬品性にも優れ、頻繁に洗浄し清潔に保つ上で好ましい。
【００１６】
また、プローブホルダ軸７ａ、７ｂ先端部の直径φDは根元よりも太い直径（０.２〜１.０ｍｍ程度大きい）にしている。さらに、プローブホルダ孔６ａ、６ｂの入り口の直径
φdは、プローブホルダ軸７ａ、７ｂの根元の直径とほぼ同じ（±０.２mm以内）としている。このことよりプローブホルダ６をプローブホルダ軸７に嵌合させたとき、プローブホルダ軸７ａ、７ｂ先端部がプローブホルダ孔６ａ、６ｂの入り口に引っかかるため、操作者の通常動作としての、プローブ５をレーザ機器本体のプローブホルダ6への定置、
取り外し操作においては、プローブホルダ６がプローブホルダ軸７から脱落することを防止している。
【００１７】
また、洗浄時は、プローブホルダ6操作パネル面から引き上げることにより、プローブホルダ6がシリコンゴムで成型されたプローブホルダ6はその弾性でプローブホルダ軸７から容易に取り外すことが可能である。
【００１８】
シリコンゴムの硬度と前述φdとφDの関係を、さらに適切に選ぶことにより、プローブ5のプローブホルダ6への保持力と、清掃時に特に関係の深いプローブホルダ6の着脱力を操作者の要望に応じて設定調整することができる。一般的な最大公約数としての快適な操作感を得る為にこれらの関係の設定に市場評価を交えながら苦労した。
【００１９】
以上のように、プローブホルダを容易に機器本体から取り外して洗浄し、洗浄後は再び容易に機器本体に取り付けることを実現させるプローブホルダを備えたレーザ装置を提供することを目的とする。
【００２０】
図4は本発明の効果を高める為の一例の説明図である。プローブホルダ軸を2ケ設けることにより位置規制をさせているが、その2ケの軸の勘合深さを同寸法にしないで図４に示すようにそれぞれ、プローブホルダ孔６ａ、６ｂの深さ寸法ａとｂ、プローブホルダ軸７の長さ寸法ＡとＢのように穴と軸が対応するように異なったものとすることで、プローブホルダ６をプローブホルダ軸７に取り付けるとき、逆装着を防止させている。
【産業上の利用可能性】
【００２１】
以上のように、本発明にかかる容易に着脱できるプローブホルダは、常に清潔さの維持を要求される医療現場において、何らの工具を用いることなく機器本体から取り外して洗浄を行うことができることから、衛生的なプローブホルダとして大いに利用され、多大な効果が期待される。また、この発明は、他の清潔さを要求されながら、取り外しが難しかった取付け構造部品にも適用できる。
【図面の簡単な説明】
【００２２】
【図１】本発明のレーザ装置の外観を示す斜視図
【図２】本発明のプローブホルダの機器本体への取付け構造を示す説明図
【図３】本発明の着脱部構造の寸法関係説明図
【図４】本発明の効果を高める寸法関係図
【図５】従来のプローブホルダの機器本体への取付け構造説明図
【符号の説明】
【００２３】
１    レーザ機器本体
２    上パネル
３    レーザ出射口
４    レーザ導波管（ファイバーともいう）
５    プローブ
６    プローブホルダ
６ａ，６ｂ    プローブホルダ孔
７，７ａ，７ｂ    プローブホルダ取付け軸
８    取付けビス
【図１】
0004577180.tif 000002
【図２】
0004577180.tif 000003
【図３】
0004577180.tif 000004
【図４】
0004577180.tif 000005
【図５】
0004577180.tif 000006